(57)【特許請求の範囲】
【請求項１】
記録用紙に画像データに基づく画像の記録を行う記録部と、
エラーの発生を報知する報知部と、
制御部と、
を備え、
前記制御部は、
画像の記録指令に従って、前記記録部による画像の記録処理を実行する記録処理実行手段と、
前記記録処理実行手段による実行対象の記録処理が第１の処理であるか第２の処理であるかを判断する第１判断手段と、
前記記録部による画像の記録処理の実行を妨げるエラーが発生しているか否かを判断する第２判断手段と、
前記第１判断手段により実行対象の記録処理が第１の処理であると判断され、かつ、第２判断手段によりエラーが発生していると判断された場合に、前記報知部によるエラーの発生を、当該エラーが解消されるまで報知する第１報知手段と、
前記第１判断手段により実行対象の記録処理が第２の処理であると判断され、かつ、第２判断手段によりエラーが発生していると判断された場合に、前記報知部によるエラーの発生を設定時間、報知する第２報知手段と、
前記第２報知手段によりエラーの発生が設定時間、報知された後に、当該エラーの発生により実行が妨げられた記録処理をキャンセルするキャンセル手段と、
を備え、
前記記録処理実行手段は、
前記第１報知手段及び前記第２報知手段によりエラーの発生が報知されている間に、当該エラーが解消されたことを条件として、画像の記録指令に従って、前記記録部による画像の記録処理を実行することを特徴とする画像記録装置。
【請求項２】
前記画像記録装置は、
ユーザ操作に応じた入力を行う操作部を備え、
前記第１判断手段は、
前記操作部より画像の記録指令を受け付けた場合に、当該記録指令に従って前記記録処理実行手段により実行される記録処理が第１の処理であると判断することを特徴とする請求項１に記載の画像記録装置。
【請求項３】
前記画像記録装置は、
外部装置と通信を行う通信部を備え、
前記第１判断手段は、
前記通信部を介して画像の記録指令を受信した場合に、当該記録指令の送信元の外部装置に基づいて、前記記録処理実行手段による実行対象の記録処理が第１の処理であるか第２の処理であるかを判断することを特徴とする請求項１又は２に記載の画像記録装置。
【請求項４】
前記第１判断手段は、
前記記録処理実行手段による実行対象の記録処理が第１の処理であるか第２の処理であるかを、当該記録処理により記録用紙に記録される画像の画像データに付加された付加情報に基づいて、判断することを特徴とする請求項１乃至３の何れか１項に記載の画像記録装置。
【請求項５】
前記画像記録装置は、
ユーザ操作に応じた入力を行う操作部を備え、
前記制御部は、
前記操作部からの入力を受け付けることなく、所定の条件を満たした場合に、前記画像記録装置の装置状態を示す画像を記録用紙に記録するための画像データを作成する作成手段を備え、
前記第１判断手段は、
前記作成手段により作成された画像データに基づく画像の記録処理が第２の処理であると判断することを特徴とする請求項１乃至４の何れか１項に記載の画像記録装置。
【請求項６】
前記画像記録装置は、
ユーザ操作に応じた入力を行う操作部と、
記憶部と、
を備え、
前記制御部は、
前記第２報知手段によりエラーの発生が報知されている間に、当該エラーの発生により実行が妨げられた記録処理を今後実行しない旨の入力を前記操作部より受け付けた場合に、当該記録処理を特定するための特定情報を、前記記憶部に記憶させる第１記憶制御手段を備え、
前記記録処理実行手段は、
画像の記録指令の対象の記録処理が、前記第１記憶制御手段により前記記憶部に記憶された特定情報に応じた記録処理である場合には、当該記録処理を実行しないことを特徴とする請求項１乃至５の何れか１項に記載の画像記録装置。
【請求項７】
前記画像記録装置は、
外部装置と通信を行う通信部を備え、
前記制御部は、
前記キャンセル手段により記録処理がキャンセルされた場合に、当該キャンセルされた記録処理により記録用紙に記録される予定であった画像データを前記通信部を介して外部装置に送信する送信手段を備え、
前記第１判断手段は、
前記送信手段により送信された画像データを当該画像データの送信先の外部装置から受信した場合に、当該画像データに基づく画像の記録処理が第１の処理であると判断することを特徴とする請求項１乃至６の何れか１項に記載の画像記録装置。
【請求項８】
前記画像記録装置は、
ユーザ操作に応じた入力を行う操作部と、
記憶部と、
を備え、
前記制御部は、
前記キャンセル手段により記録処理がキャンセルされた場合に、当該キャンセルされた記録処理により記録用紙に記録される予定であった画像データを前記記憶部に記憶させる第２記憶制御手段を備え、
前記第１判断手段は、
前記第２記憶制御手段により前記記憶部に記憶された画像データを記録処理の対象の画像データとして選択する旨のユーザ操作を前記操作部が受け付けた場合に、当該画像データに基づく画像の記録処理が第１の処理であると判断することを特徴とする請求項１乃至７の何れか１項に記載の画像記録装置。
【請求項９】
前記制御部は、
前記第２記憶制御手段により前記記憶部に記憶された画像データに期限を示す情報が含まれている場合に、当該情報により示される期限が切れていることを条件として、当該画像データを削除する第１削除手段を備えることを特徴とする請求項８に記載の画像記録装置。
【請求項１０】
前記画像記録装置は、
ユーザ操作に応じた入力を行う操作部を備え、
前記制御部は、
前記操作部からの入力を受け付けることなく、所定の条件を満たした場合に、前記画像記録装置の装置状態を示す画像を記録用紙に記録するための画像データを作成する作成手段を備え、
前記制御部は、
前記作成手段により異なった時期に作成された複数の画像データが、既に前記記憶部に記憶されている場合に、当該複数の画像データのうちの最新の画像データ以外のものを削除する第２削除手段を備えることを特徴とする請求項８又は９に記載の画像記録装置。
【請求項１１】
記録用紙に画像データに基づく画像の記録を行う記録部と、エラーの発生を報知する報知部とを備えた画像記録装置のコンピュータが読み取り可能な制御プログラムであって、
前記コンピュータを、
画像の記録指令に従って、前記記録部による画像の記録処理を実行する記録処理実行手段と、
前記記録処理実行手段による実行対象の記録処理が第１の処理であるか第２の処理であるかを判断する第１判断手段と、
前記記録部による画像の記録処理の実行を妨げるエラーが発生しているか否かを判断する第２判断手段と、
前記第１判断手段により実行対象の記録処理が第１の処理であると判断され、かつ、第２判断手段によりエラーが発生していると判断された場合に、前記報知部によるエラーの発生を、当該エラーが解消されるまで報知する第１報知手段と、
前記第１判断手段により実行対象の記録処理が第２の処理であると判断され、かつ、第２判断手段によりエラーが発生していると判断された場合に、前記報知部によるエラーの発生を設定時間、報知する第２報知手段と、
前記第２報知手段によりエラーの発生が設定時間、報知された後に、当該エラーの発生により実行が妨げられた記録処理をキャンセルするキャンセル手段と、
して機能させ、
前記記録処理実行手段は、
前記第２報知手段及び前記第１報知手段によりエラーの発生が報知されている間に、当該エラーが解消されたことを条件として、画像の記録指令に従って、前記記録部による画像の記録処理を実行することを特徴とする制御プログラム。
【発明の詳細な説明】
【技術分野】
【０００１】
本発明は、画像データに基づく画像の記録処理を行う画像記録装置、および、その画像記録装置のコンピュータが読み取り可能な制御プログラムに関する。
【背景技術】
【０００２】
画像記録装置では、記録処理の実行を妨げるエラーが発生すると、エラー発生の報知が行われる。このエラー発生の報知により、ユーザは、エラーが発生していることを認知し、エラーに対処することが可能となる。しかしながら、長時間、エラー発生の報知が行われると、ユーザに不快感を与える場合がある。このため、下記特許文献には、エラー発生の報知が、所定時間実行されると、その報知を停止する技術が記載されている。
【先行技術文献】
【特許文献】
【０００３】
【特許文献１】特開２００７−５０６５３号公報
【発明の概要】
【発明が解決しようとする課題】
【０００４】
上記特許文献に記載の技術に従って、エラー発生の報知が、所定時間実行された後に停止されると、ユーザが、その報知に気付かずに、長時間、記録処理が停止した状態となる虞がある。本発明は、そのような事情に鑑みてなされたものであり、本発明の課題は、エラー発生時のユーザビリティを向上させることである。
【課題を解決するための手段】
【０００５】
上記課題を解決するために、本発明の画像記録装置は、記録用紙に画像データに基づく画像の記録を行う記録部と、エラーの発生を報知する報知部と、制御部と、を備え、前記制御部は、画像の記録指令に従って、前記記録部による画像の記録処理を実行する記録処理実行手段と、前記記録処理実行手段による実行対象の記録処理が第１の処理であるか第２の処理であるかを判断する第１判断手段と、前記記録部による画像の記録処理の実行を妨げるエラーが発生しているか否かを判断する第２判断手段と、前記第１判断手段により実行対象の記録処理が第１の処理であると判断され、かつ、第２判断手段によりエラーが発生していると判断された場合に、前記報知部によるエラーの発生を、当該エラーが解消されるまで報知する第１報知手段と、前記第１判断手段により実行対象の記録処理が第２の処理であると判断され、かつ、第２判断手段によりエラーが発生していると判断された場合に、前記報知部によるエラーの発生を設定時間、報知する第２報知手段と、前記第２報知手段によりエラーの発生が設定時間、報知された後に、当該エラーの発生により実行が妨げられた記録処理をキャンセルするキャンセル手段と、を備え、前記記録処理実行手段は、前記第２報知手段及び前記第１報知手段によりエラーの発生が報知されている間に、当該エラーが解消されたことを条件として、画像の記録指令に従って、前記記録部による画像の記録処理を実行することを特徴とする。
【０００６】
また、上記課題を解決するために、本発明の制御プログラムは、記録用紙に画像データに基づく画像の記録を行う記録部と、エラーの発生を報知する報知部とを備えた画像記録装置のコンピュータが読み取り可能な制御プログラムであって、前記コンピュータを、画像の記録指令に従って、前記記録部による画像の記録処理を実行する記録処理実行手段と、前記記録処理実行手段による実行対象の記録処理が第１の処理であるか第２の処理であるかを判断する第１判断手段と、前記記録部による画像の記録処理の実行を妨げるエラーが発生しているか否かを判断する第２判断手段と、前記第１判断手段により実行対象の記録処理が第１の処理であると判断され、かつ、第２判断手段によりエラーが発生していると判断された場合に、前記報知部によるエラーの発生を、当該エラーが解消されるまで報知する第１報知手段と、前記第１判断手段により実行対象の記録処理が第２の処理であると判断され、かつ、第２判断手段によりエラーが発生していると判断された場合に、前記報知部によるエラーの発生を設定時間、報知する第２報知手段と、前記第２報知手段によりエラーの発生が設定時間、報知された後に、当該エラーの発生により実行が妨げられた記録処理をキャンセルするキャンセル手段と、して機能させ、前記記録処理実行手段は、前記第２報知手段及び前記第１報知手段によりエラーの発生が報知されている間に、当該エラーが解消されたことを条件として、画像の記録指令に従って、前記記録部による画像の記録処理を実行することを特徴とする。
【発明の効果】
【０００７】
本発明の画像記録装置では、実行対象の記録処理が第１の処理であるか第２の処理であるかが判断される。また、記録処理の実行を妨げるエラーが発生しているか否かが判断される。そして、実行対象の記録処理が第１の処理であり、エラーが発生していると判断された場合に、エラーの発生が、エラーが解消されるまで報知される。この際、エラーが解消されることで、記録処理が実行される。一方、実行対象の記録処理が第２の処理であり、エラーが発生していると判断された場合に、エラーの発生が、設定時間、報知される。そして、エラーの発生が設定時間放置された後に、そのエラーの発生により実行が妨げられた記録処理がキャンセルされる。このように、実行対象の記録処理に応じて、エラーの報知態様を変化させることで、例えば、実行対象の記録処理が、重要な処理である場合には、エラー発生の報知を、エラーが解消されるまで行うことで、確実に、エラーの発生をユーザに報知することが可能となる。一方、例えば、実行対象の記録処理が、重要でない処理の場合には、エラー発生の報知を設定時間、行った後に、そのエラーの発生により停止している記録処理をキャンセルすることが可能となる。これにより、エラー発生時のユーザビリティを向上させることが可能となる。
【図面の簡単な説明】
【０００８】
【図１】通信システム１のブロック図である。
【図２】第１エラー報知画面１００を示す図である。
【図３】第２エラー報知画面１１０を示す図である。
【図４】第１実施形態のＭＦＰ１０の動作フローチャートを示す図である。
【図５】第１実施形態のＭＦＰ１０の動作フローチャートを示す図である。
【図６】第１実施形態のＭＦＰ１０の動作フローチャートを示す図である。
【図７】第１実施形態の携帯電話５０の動作フローチャートを示す図である。
【図８】第２実施形態のＭＦＰ１０の動作フローチャートを示す図である。
【発明を実施するための形態】
【０００９】
＜通信システムの構成＞
図１に、本願に係る実施形態として例示される通信システム１のブロック図を示す。通信システム１は、ＭＦＰ（本発明の画像記録装置の一例）１０、携帯電話（本発明の外部装置の一例）５０、サーバ（本発明の外部装置の一例）８０，８２を備える。
【００１０】
ＭＦＰ１０は、ＣＰＵ（本発明の制御部およびコンピュータの一例）１２、記憶部１４、ディスプレイ（本発明の報知部の一例）１６、入力Ｉ／Ｆ（本発明の操作部の一例）１８、読取部２０、記録部（本発明の記録部の一例）２２、無線ＬＡＮＩ／Ｆ（本発明の通信部の一例）２６を主に備えている。これらの構成要素は、入出力ポート２８を介して互いに通信可能とされている。
【００１１】
ＣＰＵ１２は、記憶部１４内の制御プログラム（本発明の制御プログラムの一例）３０に従って処理を実行する。制御プログラム３０は、印刷処理、スキャン処理等の各種処理を実行するためのプログラムである。
【００１２】
なお、記憶部１４は、ＲＡＭ（Random Access Memoryの略）、ＲＯＭ（Read Only Memoryの略）、フラッシュメモリー、ＨＤＤ（Hard Diskの略）、ＣＰＵ１２が備えるバッファなどが組み合わされて構成されている。また、記憶部１４は、データ記憶領域（本発明の記憶部の一例）３２を備える。データ記憶領域３２は、制御プログラム３０の実行に必要なデータなどを記憶する領域である。
【００１３】
ディスプレイ１６は、入力された画像データに従い、各種画面を表示するものであり、ＬＣＤ（Liquid Crystal Displayの略）、有機ＥＬ（Electro・Luminescenceの略）ディスプレイ等が例示されるが、特にこれらに限定されない。入力Ｉ／Ｆ１８は、ＭＦＰ１０の各機能を実行するためのキーであり、例えば、ディスプレイ１６と一体的に構成されているタッチパネルであってよく、ディスプレイ１６上に表示されたアイコンへのユーザ操作を受け付ける。また、タッチパネル以外にも、ハードキー等であってもよい。
【００１４】
読取部２０は、原稿に記録された画像を読み取り画像データを作成する部位であり、例えば、ＣＣＤイメージセンサ、コンタクトイメージセンサ等を含む。記録部２２は、印刷機構であり、例えば、電子写真式のものが挙げられるが、特にこの方式に限定されない。
【００１５】
無線ＬＡＮＩ／Ｆ２６は、ＩＥＥＥの８０２．１１の規格およびそれに準ずる規格に基づいて、Ｗｉ-Ｆｉ (R)（Wi-Fi Allianceの登録商標）方式（ＷＦ方式と略して記載する場合もある）の無線通信を行うことが可能とされている。すなわち、ＭＦＰ１０は、アクセスポイント３６へアクセスし、ＷＦ方式の無線通信を行える状態になれば、アクセスポイント３６を介して、携帯電話５０とデータ通信することが可能になる。また、アクセスポイント３６には、インターネット３８が接続されており、ＭＦＰ１０は、ＷＦ方式の無線通信を行える状態になれば、アクセスポイント３６及びインターネット３８を介して、サーバ８０，８２とデータ通信することが可能になる。
【００１６】
携帯電話５０は、ＣＰＵ５２、記憶部５４、ディスプレイ５６、入力Ｉ／Ｆ５８、携帯電話通信Ｉ／Ｆ６０、無線ＬＡＮＩ／Ｆ６２を、主に備えている。これらの構成要素は、入出力ポート６６を介して互いに通信可能とされている。
【００１７】
ＣＰＵ５２は、記憶部５４内の制御アプリケーション６８に従って処理を実行する。制御アプリケーション６８は、ＭＦＰ１０から受信した画像データを記憶し、記憶した画像データに基づく印刷をＭＦＰ１０に支持するためのプログラムである。以降、制御アプリケーション６８を実行するＣＰＵ５２のことを、単にプログラム名でも記載する場合がある。例えば、「制御アプリケーション６８が」という記載は、「制御アプリケーション６８を実行するＣＰＵ５２が」ということを意味する場合がある。
【００１８】
なお、記憶部５４は、ＲＡＭ、ＲＯＭ、フラッシュメモリー、ＨＤＤ、ＣＰＵ５２が備えるバッファなどが組み合わされて構成されている。また、記憶部５４は、データ記憶領域７０を備える。データ記憶領域７０は、制御アプリケーション６８の実行に必要なデータなどを記憶する領域である。
【００１９】
ディスプレイ５６は、入力された画像データに従い、各種画面を表示するものであり、ＬＣＤ（Liquid Crystal Displayの略）、有機ＥＬ（Electro・Luminescenceの略）ディスプレイ等が例示されるが、特にこれらに限定されない。入力Ｉ／Ｆ５８は、携帯電話５０の各機能を実行するためのキーであり、例えば、ディスプレイ５６と一体的に構成されているタッチパネルであってよく、ディスプレイ５６上に表示されたアイコンへのユーザ操作を受け付ける。また、タッチパネル以外にも、ハードキー等であってもよい。
【００２０】
携帯電話通信Ｉ／Ｆ６０は、基地局７２との間で携帯電話通信方式の無線通信を行うことが可能とされている。これにより、携帯電話５０は、携帯電話通信方式の無線通信を行える状態になれば、基地局７２を介して、データ通信を行うことが可能になる。また、無線ＬＡＮＩ／Ｆ６２は、ＩＥＥＥの８０２．１１の規格およびそれに準ずる規格に基づいて、ＷＦ方式の無線通信を行うことが可能とされている。すなわち、携帯電話５０は、アクセスポイント３６へアクセスし、ＷＦ方式の無線通信を行える状態になれば、アクセスポイント３６を介して、ＭＦＰ１０とデータ通信することが可能になる。
【００２１】
＜ＭＦＰ１０における印刷処理＞
ＭＦＰ１０は、読取部２０によって原稿に記録された画像を読み取り、画像データを作成するスキャン処理と、記録部２２によって画像データに基づく画像を印刷用紙に印刷する印刷処理とを実行することが可能である。また、ＭＦＰ１０で実行される印刷処理には、ユーザの意思に従って実行される印刷処理（本発明の第１の処理の一例）と、ユーザが意図しない印刷処理（本発明の第２の処理の一例）とがある。
【００２２】
具体的には、例えば、ユーザが、フラットベッド、若しくは、ＡＤＦ（Auto Document Feederの略）に原稿を載置し、入力Ｉ／Ｆ１８のスタートボタン等を操作することで実行される複写処理は、ユーザの意思に従って実行される印刷処理である。また、例えば、ユーザが携帯電話５０からＭＦＰ１０に画像データを送信し、その画像データに基づいて実行される印刷処理も、ユーザの意思に従って実行される印刷処理である。また、例えば、入力Ｉ／Ｆ１８の操作により、サーバ８０，８２若しくは、携帯電話５０から画像データを取得し、その画像データに基づいて実行される印刷処理も、ユーザの意思に従って実行される印刷処理である。
【００２３】
一方、例えば、広告等を配信している会社のサーバ８０，８２が、ＭＦＰ１０からの指示が無いにも拘らず、ＭＦＰ１０に画像データを送信し、その画像データに基づく印刷処理が自動的に実行される場合がある。具体的には、例えば、クーポン券等の画像データが、ＭＦＰ１０からの指示が無いにも拘らず、サーバから送信され、クーポン券等が自動的に印刷される場合がある。このような印刷処理は、ユーザの意図しない印刷処理である。また、例えば、ＭＦＰ１０では、設定条件等が変更された際に、自動でステータス印刷処理が行われる。ステータス印刷処理とは、例えば、ＷＦ方式の無線通信の設定条件等が変更された場合に、変更内容をユーザに告知するべく、設定変更の内容が記されたレポート（以下、「設定変更レポート」と記載する場合がある）の画像データが自動的に作成され、その画像データに基づいて自動的に実行される印刷処理である。つまり、ステータス印刷処理は、所定の条件が満たされた場合に、ユーザが入力Ｉ／Ｆ１８を操作することなく、自動的に実行される印刷処理である。このため、ステータス印刷処理も、ユーザの意図しない印刷処理である。
【００２４】
また、印刷ジョブ、つまり、画像データと、その画像データに基づく印刷処理の実行指令とがＭＦＰ１０に入力された際に、トナー不足，印刷用紙切れ等が生じている場合には、エラーの発生をユーザに報知するための画面（以下、「エラー報知画面」と記載する場合がある）が、ディスプレイ１６に表示される。これにより、ユーザは、エラーの発生を認知し、そのエラーを解消することで、印刷処理を実行することが可能となる。しかしながら、ユーザの意思に従って実行される印刷処理と、ユーザの意図しない印刷処理との両方の印刷処理が実行されるＭＦＰ１０では、両方の印刷処理においてもエラー報知画面が、長時間、ディスプレイ１６に表示されると、ユーザの負担となる場合がある。
【００２５】
詳しくは、ユーザの意思に従った印刷処理の印刷ジョブが入力された際に、エラーが生じている場合には、ユーザは、その印刷処理を望んでいるため、そのエラーを解消し、印刷処理を実行させる。このため、エラー報知画面は、長時間、ディスプレイ１６に表示されることが好ましい。一方で、ＭＦＰ１０は、印刷処理とスキャン処理との両方の処理を実行可能であるが、ＭＦＰ１０をスキャン処理専用の装置として使うユーザもいる。このようなユーザは、ＭＦＰ１０で殆ど印刷処理を実行しないため、慢性的にトナー不足の状態、若しくは、印刷用紙が補給されていない状態となっている場合がある。このような場合であっても、ＭＦＰ１０をスキャン処理専用の装置として使うユーザは、通常、ＭＦＰ１０により印刷処理を実行しないため、エラー報知画面がディスプレイ１６に表示されない。しかしながら、ユーザの意図しない印刷処理の印刷ジョブが入力されると、トナー不足，印刷用紙切れによりエラー報知画面が表示される。すると、ユーザは、自身が意図しない印刷処理のために、エラー報知画面の指示内容に従った処理等を行わなければならない場合があり、ユーザの負担となる。
【００２６】
このようなことに鑑みて、ＭＦＰ１０では、入力された印刷ジョブが、ユーザの意思に従って実行される印刷処理の印刷ジョブである場合のエラー報知画面と、入力された印刷ジョブが、ユーザの意図しない印刷処理の印刷ジョブである場合のエラー報知画面とで、表示態様を異ならせている。具体的には、印刷ジョブがＭＦＰ１０に入力された場合に、その印刷ジョブが、ユーザの意思に従って実行される印刷処理の印刷ジョブ、つまり、ユーザが明示的に入力した印刷ジョブ（以下、「明示的印刷ジョブ」と記載する場合がある）と、ユーザの意図しない印刷処理の印刷ジョブ、つまり、ユーザが明示的に入力していない印刷ジョブ（以下、「非明示的印刷ジョブ」と記載する場合がある）との何れの印刷ジョブであるかが判断される。
【００２７】
この判断では、入力Ｉ／Ｆ１８を介して実行指示が入力された印刷ジョブは、明示的印刷ジョブと判断される。つまり、例えば、ユーザが、フラットベッド、若しくは、ＡＤＦに原稿を載置し、入力Ｉ／Ｆ１８のスタートボタン等の操作により入力される印刷ジョブは、明示的印刷ジョブである。また、例えば、入力Ｉ／Ｆ１８の操作により、サーバ８０，８２若しくは、携帯電話５０から画像データを取得し、その取得した画像データに基づく印刷ジョブも、明示的印刷ジョブである。
【００２８】
一方、ＭＦＰ１０のステータスを印刷するための印刷ジョブ、つまり、所定の設定項目に対する設定値の変更後、設定変更レポートが自動的に作成され、作成された設定レポートを示す画像データに基づく印刷ジョブは、非明示的印刷ジョブである。
【００２９】
また、印刷ジョブが、入力Ｉ／Ｆ１８を介して実行指示が入力されることなく、無線ＬＡＮＩ／Ｆ２６を介して、外部装置から送信されてきた場合には、その印刷ジョブは、送信元の外部装置に基づいて、明示的印刷ジョブと非明示的印刷ジョブとの何れの印刷ジョブであるかが判断される。具体的には、例えば、携帯電話５０とサーバ８０とが、印刷処理を許可する外部装置として、それらの識別情報（デバイス名、ＩＰアドレス、ＭＡＣアドレス、シリアル番号など）が事前にデータ記憶領域３２に記憶されている場合には、携帯電話５０、若しくは、サーバ８０から送信されてきた印刷ジョブは、明示的印刷ジョブと判断される。一方、サーバ８２が、印刷処理を許可する外部装置としてその識別情報がデータ記憶領域３２に事前に記憶されていない場合には、サーバ８２から送信されてきた印刷ジョブは、非明示的印刷ジョブと判断される。
【００３０】
また、無線ＬＡＮＩ／Ｆ２６を介して、外部装置から送信されてきた印刷ジョブは、その印刷ジョブに付加されている付加情報に基づいて、明示的印刷ジョブと非明示的印刷ジョブとの何れの印刷ジョブであるかが判断される。具体的には、例えば、携帯電話５０において、ＭＦＰ１０に送信される印刷ジョブが作成される際に、その印刷ジョブに所定の付加情報が付加されており、その付加情報が、ＭＦＰ１０において記憶されている場合がある。このような場合には、その所定の付加情報が付加された印刷ジョブ、つまり、携帯電話５０から送信された印刷ジョブは、明示的印刷ジョブと判断される。一方、その所定の付加情報が付加されていない印刷ジョブは、非明示的印刷ジョブと判断される。
【００３１】
また、入力された印刷ジョブが、明示的印刷ジョブと非明示的印刷ジョブとの何れの印刷ジョブであるかが判断された後に、その印刷ジョブに応じた印刷処理の実行を妨げるエラーが発生しているか否かが判断される。そして、印刷処理の実行を妨げるエラーが発生していないと判断された場合には、入力された印刷ジョブが、明示的印刷ジョブと非明示的印刷ジョブとの何れの印刷ジョブであっても、その印刷ジョブに応じた印刷処理が実行される。
【００３２】
一方、入力された印刷ジョブが明示的印刷ジョブであり、その印刷ジョブに応じた印刷処理の実行を妨げるエラーが発生していると判断された場合には、図２に示す第１エラー報知画面１００が、ディスプレイ１６に表示される。その第１エラー報知画面１００には、エラーの発生要因を告知するコメントと、キャンセルボタン１０２と、印刷実行ボタン１０４とが表示されている。そして、ユーザが、その印刷ジョブに応じた印刷処理を実行したい場合には、エラーの発生要因を解消した後に、印刷実行ボタン１０４を操作することで、印刷ジョブに応じた印刷処理が実行される。一方、ユーザが、その印刷ジョブに応じた印刷処理を実行したくない場合には、キャンセルボタン１０２を操作することで、その印刷ジョブに応じた印刷処理がキャンセルされる。なお、第１エラー報知画面１００は、キャンセルボタン１０２若しくは、印刷実行ボタン１０４が操作されるまで、ディスプレイ１６に表示される。
【００３３】
一方、入力された印刷ジョブが非明示的印刷ジョブであり、その印刷ジョブに応じた印刷処理の実行を妨げるエラーが発生していると判断された場合には、図３に示す第２エラー報知画面１１０が、ディスプレイ１６に表示される。その第２エラー報知画面１１０には、エラーの発生要因を告知するコメントと、第１ボタン１１２と、第２ボタン１１４と、第３ボタン１１６とが表示されている。第１ボタン１１２は、入力された印刷ジョブに応じた印刷処理の実行を、今回の入力に限り、キャンセルするためのボタンである。このため、第１ボタン１１２が操作されると、その印刷ジョブに応じた印刷処理がキャンセルされる。
【００３４】
また、第２ボタン１１４は、入力された印刷ジョブに応じた印刷処理の実行を、今回の入力だけでなく、今後もキャンセルするためのボタンである。このため、第２ボタン１１４が操作されると、その印刷ジョブに応じた印刷処理がキャンセルされる。また、その印刷ジョブを特定するための特定情報が、データ記憶領域３２に記憶される。この特定情報は、例えば、入力された印刷ジョブがステータス印刷処理に応じたものである場合には、そのステータス印刷処理を特定するための情報となる。つまり、例えば、ＷＦ方式の無線通信の設定条件等が変更された際に実行されるステータス印刷処理時に、第２エラー報知画面１１０が表示され、第２ボタン１１４が操作された場合には、ＷＦ方式の無線通信の設定変更レポートの印刷処理を特定するための情報が、特定情報として、データ記憶領域３２に記憶される。
【００３５】
また、例えば、入力された印刷ジョブが、無線ＬＡＮＩ／Ｆ２６を介して外部装置から送信されたものである場合には、特定情報は、その送信元の外部装置から送信された印刷ジョブを特定するための情報（具体的にはデバイス名、ＩＰアドレス、ＭＡＣアドレス、シリアル番号など）となる。つまり、例えば、サーバ８２から送信された印刷ジョブに応じた印刷処理時に、第２エラー報知画面１１０が表示され、第２ボタン１１４が操作された場合には、サーバ８２を送信元とする印刷ジョブを特定するための情報が、特定情報として、データ記憶領域３２に記憶される。
【００３６】
このようにして、データ記憶領域３２に記憶された特定情報は、次回以降に、非明示的印刷ジョブが入力された際に、用いられる。詳しくは、入力された印刷ジョブが非明示的印刷ジョブであり、その印刷ジョブに応じた印刷処理の実行を妨げるエラーが発生していると判断された際には、通常、図３に示す第２エラー報知画面１１０がディスプレイ１６に表示されるが、その印刷ジョブが、特定情報により特定されるジョブである場合には、第２エラー報知画面１１０がディスプレイ１６に表示されることなく、その印刷ジョブに応じた印刷処理がキャンセルされる。つまり、第２ボタン１１４の操作により特定情報がデータ記憶領域３２に記憶された場合には、その特定情報により特定される印刷ジョブに応じた印刷処理は、ユーザが所定の操作をすることなく、キャンセルされる。これにより、ユーザビリティが向上する。
【００３７】
また、第３ボタン１１６は、印刷処理を実行するためのボタンである。このため、ユーザが、その印刷ジョブに応じた印刷処理を実行したい場合には、エラーの発生要因を解消した後に、第３ボタン１１６を操作することで、印刷ジョブに応じた印刷処理が実行される。
【００３８】
なお、第２エラー報知画面１１０は、第１エラー報知画面１００と異なり、設定された時間しか表示されない。このため、第２エラー報知画面１１０が表示されてから、設定時間が経過した場合に、第２エラー報知画面１１０が表示された要因となったエラーにより実行が妨げられている印刷処理がキャンセルされる。つまり、ユーザは、第２エラー報知画面１１０が表示された場合に、その第２エラー報知画面１１０が表示された要因となったエラーにより実行が妨げられている印刷処理の実行を望まない場合には、設定時間、放置しておくだけで、その印刷処理がキャンセルされる。これにより、ユーザが意図しない印刷処理時に、エラーが発生した場合のユーザ負担を軽減することが可能となる。
【００３９】
また、第２エラー報知画面１１０において、第１ボタン１１２若しくは、第２ボタン１１４の操作により、印刷処理がキャンセルされた場合、若しくは、第２エラー報知画面１１０が設定時間、表示された後に、印刷処理がキャンセルされた場合には、そのキャンセルされた印刷処理の対象の画像データが、携帯電話５０に送信される。そして、携帯電話５０に画像データを送信したＭＦＰ１０では、その画像データが削除される。なお、画像データを受信した携帯電話５０は、その画像データをデータ記憶領域７０に記憶する。
【００４０】
また、ＭＦＰ１０から送信された画像データをデータ記憶領域７０に記憶した携帯電話５０では、その画像データを利用して、ＭＦＰ１０により印刷処理を実行することが可能である。詳しくは、携帯電話５０の入力Ｉ／Ｆ５８には、ＭＦＰ１０から送信され、データ記憶領域７０に記憶された画像データを特定し、その特定された画像データに基づく印刷処理を実行するための操作ボタンがある。その操作ボタンが操作されると、ＭＦＰ１０から送信され、データ記憶領域７０に記憶された画像データに基づいて、印刷ジョブが作成される。その印刷ジョブには、明示的印刷ジョブであることを示す情報が付加される。そして、この印刷ジョブが、携帯電話５０からＭＦＰ１０に送信される。
【００４１】
印刷ジョブを受信したＭＦＰ１０では、受信した印刷ジョブが明示的印刷ジョブと非明示的印刷ジョブとの何れのジョブであるかが判断されるが、上述したように、この印刷ジョブには、明示的印刷ジョブであることを示す情報が付加されている。このため、印刷ジョブを受信したＭＦＰ１０では、受信した印刷ジョブが明示的印刷ジョブであると判断される。これにより、一旦、キャンセルした印刷処理を、再度、ＭＦＰ１０において実行することが可能となる。
【００４２】
また、ＭＦＰ１０においてキャンセルされた印刷処理の対象の画像データを記憶する携帯電話５０では、不要な画像データの削除が行われている。詳しくは、携帯電話５０では、ＭＦＰ１０での印刷処理のキャンセルによりＭＦＰ１０から送信された画像データが、データ記憶領域７０に記憶されているが、その画像データの中に、期限切れのクーポン券の画像データが存在するか否かが判定されている。ちなみに、この判定は、画像データに含まれる期限を特定するための情報に基づいて実行される。そして、画像データの中に、期限切れのクーポン券の画像データが存在すると判定された場合には、その期限切れのクーポン券の画像データが削除される。
【００４３】
また、ＭＦＰ１０から送信され、データ記憶領域７０に記憶されている画像データの中に、同じ種類のステータス印刷処理の設定変更レポートの画像データが含まれているか否かが判定される。具体的には、例えば、ＷＦ方式の無線通信に関する設定変更レポートの画像データが複数、記憶されているか否かが判定される。そして、ＷＦ方式の無線通信に関する設定変更レポートの画像データが複数、記憶されている場合には、それら複数の設定変更レポートの画像データのうちの、最新の画像データ以外のデータが削除される。ちなみに、この判定は、画像データに含まれる設定変更レポートを特定するための情報、および、この画像データの作成時期を特定するための情報に基づいて実行される。
【００４４】
このように、携帯電話５０では、期限切れのクーポン券の画像データ、古い設定条件の記された設定変更レポートの画像データが削除されるため、データ記憶領域７０に記憶されている画像データに基づく印刷処理を実行する際に、無駄な印刷処理の実行を防止することが可能となる。
【００４５】
＜制御プログラム３０および、制御アプリケーション６８＞
上述した印刷処理は、ＭＦＰ１０のＣＰＵ１２において制御プログラム３０が実行されることによって行われる。以下に、制御プログラム３０が実行される際のフローを、図４乃至図６を用いて、説明する。
【００４６】
制御プログラム３０が実行されると、図４に示すように、無線ＬＡＮの設定変更が行われたか否かが、ＣＰＵ１２によって判断される（Ｓ１００）。そして、無線ＬＡＮの設定変更が行われた場合（Ｓ１００のＹＥＳ）には、無線ＬＡＮ用の設定変更レポートの印刷ジョブが生成される（Ｓ１０２）。そして、Ｓ１０４に進む。
【００４７】
一方、無線ＬＡＮの設定変更が行われていない場合（Ｓ１００のＮＯ）には、印刷ジョブが入力されたか否かが、ＣＰＵ１２によって判断される（Ｓ１０６）。そして、印刷ジョブが入力されていない場合（Ｓ１０６のＮＯ）には、Ｓ１００に戻る。一方、印刷ジョブが入力されている場合（Ｓ１０６のＹＥＳ）には、Ｓ１０４に進む。
【００４８】
Ｓ１０４では、印刷ジョブが明示的印刷ジョブであるか否かが、ＣＰＵ１２によって判断される（Ｓ１０４）。印刷ジョブが明示的印刷ジョブである場合（Ｓ１０４のＹＥＳ）には、エラーが発生しているか否かが、ＣＰＵ１２によって判断される（Ｓ１０８）。そして、エラーが発生していないと判定された場合（Ｓ１０８のＮＯ）には、印刷処理が実行され（Ｓ１１４）、制御プログラム３０の処理が終了する。
【００４９】
一方、エラーが発生していると判定された場合（Ｓ１０８のＹＥＳ）には、第１エラー報知画面１００がディスプレイ１６に表示される（Ｓ１１０）。次に、第１エラー報知画面１００において、印刷実行ボタン１０４が操作されたか否かが、ＣＰＵ１２によって判断される（Ｓ１１２）。印刷実行ボタン１０４が操作されている場合（Ｓ１１２のＹＥＳ）には、印刷処理が実行される（Ｓ１１４）。そして、制御プログラム３０の処理が終了する。
【００５０】
一方、印刷実行ボタン１０４が操作されていない場合（Ｓ１１２のＮＯ）には、キャンセルボタン１０２が操作されたか否かが、ＣＰＵ１２によって判断される（Ｓ１１６）。そして、キャンセルボタン１０２が操作されていない場合（Ｓ１１６のＮＯ）には、Ｓ１１２に戻る。一方、キャンセルボタン１０２が操作されている場合（Ｓ１１６のＹＥＳ）には、印刷処理をキャンセルし（Ｓ１１７），制御プログラム３０の処理が終了する。
【００５１】
また、Ｓ１０４で印刷ジョブが明示的印刷ジョブではない場合、つまり印刷ジョブが非明示的印刷ジョブである場合（Ｓ１０４のＮＯ）には、その印刷ジョブが、データ記憶領域３２に記憶されている特定情報に応じたジョブであるか否かが、ＣＰＵ１２によって判断される（Ｓ１１８）。そして、印刷ジョブが特定情報に応じたジョブでない場合（Ｓ１１８のＮＯ）には、エラーが発生しているか否かが、ＣＰＵ１２によって判断される（Ｓ１２０）。そして、エラーが発生していないと判定された場合（Ｓ１２０のＮＯ）には、印刷処理が実行され（Ｓ１１４）、制御プログラム３０の処理が終了する。
【００５２】
一方、エラーが発生していると判定された場合（Ｓ１２０のＹＥＳ）には、第２エラー報知画面１１０がディスプレイ１６に表示される（Ｓ１２２）。次に、第２エラー報知画面１１０において、第１ボタン１１２が操作されたか否かが、ＣＰＵ１２によって判断される（Ｓ１２４）。第１ボタン１１２が操作されている場合（Ｓ１２４のＹＥＳ）には、印刷処理がキャンセルされる（Ｓ１２５）。続いて、キャンセルされた印刷処理の画像データが携帯電話５０に送信される（Ｓ１２６）。そして、その画像データが削除される（Ｓ１２８）。これにより、制御プログラム３０の処理が終了する。
【００５３】
また、Ｓ１２４で、第２エラー報知画面１１０において、第１ボタン１１２が操作されていない場合（Ｓ１２４のＮＯ）には、第２ボタン１１４が操作されたか否かが、ＣＰＵ１２によって判断される（Ｓ１３０）。そして、第２ボタン１１４が操作されている場合（Ｓ１３０のＹＥＳ）には、特定情報がデータ記憶領域３２に記憶される（Ｓ１３２）。そして、Ｓ１２５以降の処理が実行される。
【００５４】
また、Ｓ１３０で、第２エラー報知画面１１０において、第２ボタン１１４が操作されていない場合（Ｓ１３０のＮＯ）には、第３ボタン１１６が操作されたか否かが、ＣＰＵ１２によって判断される（Ｓ１３４）。そして、第３ボタン１１６が操作されている場合（Ｓ１３４のＹＥＳ）には、印刷処理が実行される（Ｓ１１４）。そして、制御プログラム３０の処理が終了する。
【００５５】
一方、第３ボタン１１６が操作されていない場合（Ｓ１３４のＮＯ）には、第２エラー報知画面１１０がディスプレイ１６に表示されてから、設定時間経過したか否かが、ＣＰＵ１２によって判断される（Ｓ１３６）。第２エラー報知画面１１０が表示されてから設定時間経過していない場合（Ｓ１３６のＮＯ）には、Ｓ１２４に戻る。一方、第２エラー報知画面１１０が表示されてから設定時間経過している場合（Ｓ１３６のＹＥＳ）には、Ｓ１２５以降の処理が実行される。
【００５６】
また、Ｓ１１８で印刷ジョブが特定情報に応じたジョブである場合（Ｓ１１８のＹＥＳ）には、画像データが削除され（Ｓ１２８）、制御プログラム３０の処理が終了する。
【００５７】
また、上述した不要な画像データの削除処理は、携帯電話５０のＣＰＵ５２において制御アプリケーション６８が実行されることによって行われる。以下に、制御アプリケーション６８が実行される際のフローを、図７を用いて、説明する。
【００５８】
制御アプリケーション６８が実行されると、図７に示すように、データ記憶領域７０に記憶されている画像データの中に、期限切れのクーポン券の画像データが存在するか否かが、ＣＰＵ５２によって判断される（Ｓ２００）。画像データの中に、期限切れのクーポン券の画像データが存在する場合（Ｓ２００のＹＥＳ）には、その期限切れのクーポン券の画像データが削除される（Ｓ２０２）。そして、Ｓ２０４に進む。一方、画像データの中に、期限切れのクーポン券の画像データが存在しない場合（Ｓ２００のＮＯ）には、Ｓ２０２の処理がスキップされ、Ｓ２０４に進む。
【００５９】
Ｓ２０４では、データ記憶領域７０に記憶されている画像データの中に、設定変更レポートの画像データが重複して存在するか否かが、ＣＰＵ５２によって判断される（Ｓ２０４）。画像データの中に、設定変更レポートの画像データが重複して存在する場合（Ｓ２０４のＹＥＳ）には、それら重複する設定変更レポートの画像データのうちの古い画像データが削除される（Ｓ２０６）。そして、制御アプリケーション６８の処理が終了する。一方、画像データの中に、設定変更レポートの画像データが重複して存在しない場合（Ｓ２０４のＮＯ）には、Ｓ２０６の処理がスキップされ、制御アプリケーション６８の処理が終了する。
【００６０】
なお、Ｓ１０２を実行するＣＰＵ１２は、作成手段の一例である。Ｓ１０４を実行するＣＰＵ１２は、第１判断手段の一例である。Ｓ１０８、Ｓ１２０を実行するＣＰＵ１２は、第２判断手段の一例である。Ｓ１１０を実行するＣＰＵ１２は、第１報知手段の一例である。Ｓ１２２を実行するＣＰＵ１２は、第２報知手段の一例である。Ｓ１２５を実行するＣＰＵ１２は、キャンセル手段の一例である。Ｓ１２６を実行するＣＰＵ１２は、送信手段の一例である。Ｓ１３２を実行するＣＰＵ１２は、第１記憶制御手段の一例である。
【００６１】
＜第２実施形態＞
第２実施形態に係るＭＦＰ１０の動作を説明する。第２実施形態におけるＭＦＰ１０は、第１実施形態におけるＭＦＰ１０の構成と同じであるため、第２実施形態におけるＭＦＰ１０の構成の説明は省略する。
【００６２】
第１実施形態のＭＦＰ１０では、キャンセルされた印刷処理の対象の画像データが、携帯電話５０に送信されていたが、第２実施形態のＭＦＰ１０では、ＭＦＰ１０のデータ記憶領域３２に記憶される。つまり、第２エラー報知画面１１０において、第１ボタン１１２若しくは、第２ボタン１１４の操作により、印刷処理がキャンセルされた場合、若しくは、第２エラー報知画面１１０が設定時間、表示された後に、印刷処理がキャンセルされた場合には、そのキャンセルされた印刷処理の対象の画像データが、データ記憶領域３２に記憶される。これにより、ＭＦＰ１０において、キャンセルされた印刷処理を、再度、実行することが可能となる。
【００６３】
なお、印刷処理のキャンセルによりデータ記憶領域３２に記憶された画像データが、再度、印刷される場合には、その画像データに基づく印刷ジョブは、第１実施形態と同様に、明示的印刷ジョブであると判断される。また、データ記憶領域３２においても、第１実施形態の携帯電話５０と同様に、不要な画像データの削除処理が実行される。
【００６４】
以下に、上述した第２実施形態の処理を実行するべく、ＭＦＰ１０のＣＰＵ１２において、制御プログラム３０が実行される際のフローを、図８を用いて説明する。ただし、第２実施形態のＭＦＰ１０のＣＰＵ１２で実行されるフローには、第１実施形態のＭＦＰ１０のＣＰＵ１２で実行されるフローと共通する処理があるため、共通する処理に関しては、簡略して説明する。また、図４および図５の処理は、第２実施形態のＭＦＰ１０のＣＰＵ１２で実行されるフローには、第１実施形態のＭＦＰ１０のＣＰＵ１２で実行されるフローと全く同じであるため、図４および図５を用いて説明する。
【００６５】
第２実施形態のＭＦＰ１０において、制御プログラム３０が実行されると、図４および図５のＳ１００〜Ｓ１３２の処理が実行される。この際、Ｓ１１２で第１エラー報知画面１００の印刷実行ボタン１０４が操作された場合（Ｓ１１２のＹＥＳ）、若しくは、Ｓ１２０でエラーが発生していない場合（Ｓ１２０のＮＯ）には、図８に示すように、印刷処理が実行され（Ｓ２１０）、制御プログラム３０の処理が終了する。
【００６６】
また、Ｓ１３０で第２エラー報知画面１１０の第２ボタン１１４が操作されていない場合（Ｓ１３０のＮＯ）には、図８に示すように、Ｓ２１２〜Ｓ２１６の処理が実行されるが、Ｓ２１２〜Ｓ２１６の処理は、図６のＳ１３４〜Ｓ１２５の処理と同じであるため、説明を省略する。そして、Ｓ２１６の処理が終了すると、キャンセルされた印刷処理の画像データが、データ記憶領域３２に記憶される（Ｓ２１８）。これにより、制御プログラム３０の処理が終了する。
【００６７】
なお、Ｓ２１６を実行するＣＰＵ１２は、キャンセル手段の一例である。Ｓ２１８を実行するＣＰＵ１２は、第２記憶制御手段の一例である。
【００６８】
また、ＭＦＰ１０のデータ記憶領域３２に、キャンセルされた印刷処理の対象の画像データが記憶され、その画像データの中から、不要な画像データの削除が行われるが、その画像データの削除処理は、ＭＦＰ１０のＣＰＵ１２において制御プログラム３０が実行されることによって行われる。その際、実行されるフローは、図７に示すフローと全く同じであるため、図示および、説明を省略する。
【００６９】
なお、図７のＳ２０２と同じステップを実行するＣＰＵ１２は、第１削除手段の一例である。図７のＳ２０６と同じステップを実行するＣＰＵ１２は、第２削除手段の一例である。
【００７０】
なお、本発明は、上記実施形態に限定されるものではなく、当業者の知識に基づいて種々の変更、改良を施した種々の態様で実施することが可能である。具体的には、上記実施形態では、エラーの発生がディスプレイ１６に表示されることで、ユーザに報知されているが、他の手法により、ユーザに報知することが可能である。具体的には、音声、光等により、ユーザにエラーの発生を報知することが可能である。
【００７１】
また、上記実施形態では、入力された印刷ジョブが、明示的印刷ジョブと非明示的印刷ジョブとの何れの印刷ジョブであるかの判断が実行された後に、その印刷ジョブに応じた印刷処理の実行を妨げるエラーが発生しているか否かの判断が行われているが、それら２つの判断を並行して実行してもよい。また、エラーの発生を判断し、エラーが発生していると判断された場合に、印刷ジョブが、明示的印刷ジョブと非明示的印刷ジョブとの何れの印刷ジョブであるかを判断してもよい。
【００７２】
また、上記実施形態では、ＣＰＵ１２等によって図４乃至図８に示す処理が実行される例を説明したが、これら処理は、ＣＰＵ１２等に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００７３】
１０：ＭＦＰ（画像記録装置）
１２：ＣＰＵ（制御部）（コンピュータ）
１６：ディスプレイ（報知部）
１８：入力Ｉ／Ｆ（操作部）
２２：記録部
２６：無線ＬＡＮＩ／Ｆ（通信部）
３０：制御プログラム
３２：データ記憶領域（記憶部）
５０：携帯電話（外部装置）
８０：サーバ（外部装置）
８２：サーバ（外部装置）
【図１】
0006406056.tif 000002
【図２】
0006406056.tif 000003
【図３】
0006406056.tif 000004
【図４】
0006406056.tif 000005
【図５】
0006406056.tif 000006
【図６】
0006406056.tif 000007
【図７】
0006406056.tif 000008
【図８】
0006406056.tif 000009